(57)【要約】【課題】  手軽に携帯することができ、且つ日本列島における百名山の位置や標高等を明確に認識することができる山岳座標点を提供すること。【解決手段】  日本列島に分布されている山岳名を記載した山岳座標点であって、該山岳座標点は、円盤状の中心点を基準に、実際の距離に従い山岳名と標高が表記されていることを特徴とする。  また前記中心点は東京都新橋であり、山岳名は日本百名山である。【選択図】図１
2019113814.tif 000002
【特許請求の範囲】
【請求項１】
日本列島に分布されている山岳名を記載した山岳座標点であって、該山岳座標点は、円盤状の中心点を基準に、実際の距離に従い山岳名と標高が表記されていることを特徴とする山岳座標点。
【請求項２】
前記中心点は東京都新橋である請求項１記載の山岳座標点。
【請求項３】
前記山岳名は日本百名山である請求項１または２記載の山岳座標点。
【請求項４】
前記山岳座標点は、円盤状の本体部と、本体部の中心に設置された方位磁石と、本体部を中心に回転方向に移行する測定部とを備える請求項１乃至３のうちいずれか１項に記載の山岳座標点。
【請求項５】
前記測定部に目盛りを記載した請求項１乃至４のうちいずれか１項に記載の山岳座標点。
【請求項６】
前記本体部に距離表記部を記載した請求項１乃至５のうちいずれか１項に記載の山岳座標点。
【発明の詳細な説明】
【技術分野】
【０００１】  本発明は、登山やハイキングの際、周辺の山なみや日本全体の百名山の展望が、方位別に楽しめることができる山岳座標点に関する。
【背景技術】
【０００２】  一般的に登山やハイキングは、男女問わず幅広く楽しむことができる優れたレジャーである。またそれに伴い、山岳名や位置を認識したり、歩行コースや順路などを計画設定したりすることも楽しみの一つとされる。【０００３】  また、山岳エリアにおいては、歩行ルートの分岐点などに登山標識を設置し、周辺エリアの案内や歩行ルートの行先などを表示して、登山者に正しいルートや目的地までの所要時間などを知らせている。【０００４】  上記分野の先行技術として、山岳部や自然公園などに設置されて当該エリアの案内や歩行ルートの行先案内を表示する登山標識に係り、特に太陽電池を利用して案内標識を発光表示させる登山標識がある（例えば特許文献１参照）。
上掲特許文献１の登山標識は、道案内を必要とする場所に設置される登山標識において、太陽光を受光して、電力を生成する太陽電池パネルと、この太陽電池パネルによって得られた電力を蓄積し、所定の条件が整っているとき、蓄積している電力を放出する電源装置と、この電源装置から放出される電力を利用して、受光し、道案内をサポートする案内器を備えたことを特徴とする。
【先行技術文献】
【特許文献】
【０００５】
【特許文献１】特開２０００−２９４１２号公報
【発明の概要】
【発明が解決しようとする課題】
【０００６】  しかしながら、特許文献１の登山標識は、歩行ルートの行先案内を表示するもので、山岳名や標高、また日本列島における山の位置を明確に認識することは困難であった。さらに大掛かりな設備が必要となり、手軽に携帯することは不可能であった。【０００７】  そこで本発明は上記の点に鑑み、手軽に携帯することができ、且つ日本列島における百名山の位置や標高等を明確に認識することができる山岳座標点を提供することにある。
【課題を解決するための手段】
【０００８】  上記課題を解決するために本発明は、日本列島に分布されている山岳名を記載した山岳座標点であって、該山岳座標点は、円盤状の中心点を基準に、実際の距離に従い山岳名と標高が表記されていることを特徴とする。【０００９】  また、前記中心点は東京都新橋である。【００１０】  また、前記山岳名は日本百名山である。【００１１】  また前記山岳座標点は、円盤状の本体部と、本体部の中心に設置された方位磁石と、本体部を中心に回転方向に移行する測定部とを備える。【００１２】  また、前記測定部に目盛りを記載した。【００１３】  さらに、前記本体部に距離表記部を記載した。
【発明の効果】
【００１４】  日本列島に分布されている山岳名を記載した山岳座標点は、円盤状の中心点を基準に、実際の距離に従い山岳名と標高が表記されていることにより、日本列島に分布する山岳の位置や標高等を明確に認識することができる。【００１５】  また本発明の山岳座標点は、円盤状の本体部と、本体部の中心に設置された方位磁石と、本体部を中心に回転方向に移行する測定部とを備えることにより、携帯や収納性に優れ、高い利便性を発揮することができる。
【図面の簡単な説明】
【００１６】
【図１】本発明における山岳座標点の正面図である。
【図２】前記山岳座標点の斜視図である。
【発明を実施するための形態】
【００１７】  本発明は、日本列島に分布されている山岳名を記載した山岳座標点であって、該山岳座標点は、円盤状の中心点を基準に、実際の距離に従い山岳名と標高が表記されていることを特徴とする。
以下、本発明の山岳座標点を図面に基づいて説明する。
【００１８】  図１および図２に示す山岳座標点１は、円盤状の本体部２と、本体部２の中心に設置された方位磁石１０と、本体部２を中心に回転方向に移行する測定部２０とを備える。
【００１９】  本体部２は、略直径２０ｃｍを有する円形状に形成されており、皿状の容器３の底面に設けられている。また前記容器３の上面には、透明のカバー材４が被覆されている。
【００２０】  前記本体部２には、区画線５を介して東西南北の方位が表示されている。また各方位の間には、それぞれの地域名が記載されている。例えば、北０°と東９０°との間には「関東・信州方位」の地域名が、東９０°と南１８０°との間には「西日本・四国方位」の地域名が、また南１８０°と西２７０°との間には「九州・沖縄方位」地域名が、さらには西２７０°と北０°との間には「東北・北海道方位」の地域名がそれぞれ記載されている。
【００２１】  また前記本体部２には、該本体部２の中心点を基準に、実際の距離に沿って表記された記載部６が記載されている。記載部６は、山岳名と標高、及び三角形の図柄にて構成されている。そのことにより、どの方位にどのような山岳が位置されているが一目で認識することができる。
【００２２】  特に、記載部６に表記されている山岳名は、日本百名山であることが望ましい。日本百名山は、深田久弥氏が創設したもので、多くの登山者が踏破を目標としている山岳である。日本百名山は、方位別に北西部２２座、北東部２９座、東南部２４座、南西部２５座の合計１００座で、四方位に分類されている。
【００２３】  また特に、前記本体部２の中心点は東京都新橋である。本発明の山岳座標点１は東京の新橋を起点にして、東西南北に分類され形成されている。そのため、どの方位に百名山が分布されているのが、明確に認識することができる。
【００２４】  さらに、前記本体部２に距離表記部７を記載した。距離表記部７は、中心点より円形状に等間隔に記載されている。距離表記部７を表示することにより、東京都新橋からの距離を容易に認識することができる。
【００２５】  また前記本体部２の中心には、方位磁石１０が設置されている。該方位磁石１０は特に限定されるものではなく、市販のものが好適に利用できる。本体部２の中心に方位磁石を設置することにより、如何なる場所、例えば登山中の歩行ルートや山頂部においても、東西南北の方位を明確に認識することができる。
【００２６】  さらに前記本体部２には、回転方向に移行する測定部２０が設置されている。測定部２０は、平板状の本体２１と、カバー材４に設置された中心軸２２と、本体２１の先方に設置された摘部２３とを備える。
【００２７】  また前記測定部２０には、目盛り２４が記載されている。測定部２０に目盛り２４を設けることで、所望の山岳の距離を調べる際、摘部２３を操作して回転移動させることで、容易に距離を調べることができる。
【符号の説明】
【００２８】１    山岳座標点
２    本体部
３    容器
４    カバー材
５    区画線
６    記載部
７    距離表示部
１０  方位磁石
２０  測定部
２１  本体
２２  中心軸
２３  摘部
【図１】
2019113814.tif 000003
【図２】
2019113814.tif 000004